(57)【要約】  【課題】  装置本体に給紙カセットが収納された装置において、装置の移動時に給紙カセットが飛び出さないようにする。  【解決手段】  第１連動部材4の上端面から延出した、上部に孔（不図示）が形成された板状部42を、取っ手2の移動用溝21に挿入し、板状部42に形成された孔と取っ手2の長孔22とを同一平面上に位置させて、孔と長孔22とにピンPを嵌入して取っ手2と第１連動部材4とを連結する。これにより取っ手2が水平方向に移動すると、第１連動部材4は垂直方向に移動し、突起41が給紙カセット3の凹部32と係合して給紙カセット3が収納された状態から引き出された状態になるのが阻止される。【選択図】      図２
2005145627.tif 000002
【特許請求の範囲】
【請求項１】
装置本体に出入可能に収納された給紙カセットと、移動時に装置本体を支持するための取っ手と、前記取っ手が把持可能状態とされる又は前記取っ手が把持されることに連動して、前記給紙カセットが収納された状態から引き出された状態になるのを阻止する阻止機構とを備えたことを特徴とする画像形成装置。
【請求項２】
前記取っ手が装置本体に出入可能に取り付けられたものである請求項１記載の画像形成装置。
【請求項３】
前記阻止機構が、取っ手に連結され、取っ手の出入によって移動する、突起が形成された第１連動部材と、給紙カセットが収納された状態のときに、給紙カセットの、前記突起が係合可能な位置に形成された凹部とを備え、前記取っ手が前記装置本体から引き出されることによって、連動部材が移動して突起が凹部と係合し、給紙カセットが収納された状態から引き出された状態になるのを阻止する請求項２記載の画像形成装置。
【請求項４】
給紙カセットが収納された状態となる方向の力が前記突起に加わると、前記突起が給紙カセットの移動領域から待避する請求項３記載の画像形成装置。
【請求項５】
前記取っ手が装置本体に形成された差入部である請求項１記載の画像形成装置。
【請求項６】
前記阻止手段が、前記差入部内に進出位置し、差入部の把持によって退出する進退部材と、この進退部材の進退によって移動する、突起が形成された第２連動部材と、給紙カセットの、前記突起が係合可能な位置に形成された凹部とを備え、前記差入部が把持されることによって進退部材が退出して第２連動部材が移動し、突起が凹部と係合して、給紙カセットが収納された状態から引き出された状態になるのを阻止する請求項５記載の画像形成装置。
【請求項７】
給紙カセットが収納された状態となる方向の力が前記突起に加わると、前記突起が給紙カセットの移動領域から待避する請求項６記載の画像形成装置。
【発明の詳細な説明】
【技術分野】
【０００１】
本発明は給紙カセットが装置本体に出入可能に収納された画像形成装置に関するものである。
【背景技術】
【０００２】
複写機やプリンタ、ファクシミリなどの画像形成装置では、定型用紙を収納しておくための給紙カセットが１個または２個以上装置本体に出入可能に取り付けられている。前記の画像形成装置は静置された状態で使用されるため、これらの給紙カセットにはロック手段は通常は取り付けられていない。
【０００３】
このため、装置移動時のわずかな振動や衝撃で、装置本体に収納されていた給紙カセットが不意に飛び出してくることがあった。これにより作業者が怪我を負ったり、給紙カセットが破損したりすることがった。
【０００４】
そこで、例えば特許文献１では、装置本体と、給紙カセットを収納した給紙バンクとを有する画像形成装置において、装置の移動のために、装置本体と給紙バンクとを分離したときは、給紙カセットを固定して出入不能とすることが提案されている。
【特許文献１】特開平９−２１２０６４号公報（請求項４、（００１９）〜（００２１）段、図６、図７）
【発明の開示】
【発明が解決しようとする課題】
【０００５】
しかしながら、前記提案技術は装置本体と給紙バンクとが分離できる大型装置に関するものであって、装置本体に給紙カセットが収納された装置ではかかる技術は適用できない。
【０００６】
本発明はこのような従来の問題に鑑みてなされたものであり、その目的とするところは装置本体に給紙カセットが収納された装置において、装置の移動時に給紙カセットが飛び出さないようにすることにある。
【課題を解決するための手段】
【０００７】
前記目的を達成するため本発明の画像形成装置では、装置本体に出入可能に収納された給紙カセットと、移動時に装置本体を支持するための取っ手と、前記取っ手が把持可能状態とされる又は前記取っ手が把持されることに連動して、前記給紙カセットが収納された状態から引き出された状態になるのを阻止する阻止機構とを備えたことを特徴とする。
【０００８】
ここで、前記取っ手として装置本体に出入可能に取り付けられたものを用いてもよい。この場合、前記阻止機構は、取っ手に連結され、取っ手の出入によって移動する、突起が形成された第１連動部材と、給紙カセットが収納された状態のときに、給紙カセットの、前記突起が係合可能な位置に形成された凹部とを備えるものが好ましく、前記取っ手が前記装置本体から引き出されることによって、連動部材が移動して突起が凹部と係合し、給紙カセットが収納された状態から引き出された状態になるのを阻止するようになる。このとき、給紙カセットが収納された状態となる方向の力が前記突起に加わると、前記突起が給紙カセットの移動領域から待避するように取り付けられているのが望ましい。
【０００９】
また前記取っ手が装置本体に形成された差入部であってもよい。この場合、前記阻止手段は、前記差入部内に進出位置し、差入部の把持によって退出する進退部材と、この進退部材の進退によって移動する、突起が形成された第２連動部材と、給紙カセットの、前記突起が係合可能な位置に形成された凹部とを備えるものが好ましく、前記差入部が把持されることによって進退部材が退出して第２連動部材が移動し、突起が凹部と係合して、給紙カセットが収納された状態から引き出された状態になるのを阻止するようになる。前記と同様に、このとき、給紙カセットが収納された状態となる方向の力が前記突起に加わると、前記突起が給紙カセットの移動領域から待避するように取り付けられているのが望ましい。
【発明の効果】
【００１０】
本発明の画像形成装置では、移動時に装置本体を支持するための取っ手が、把持可能状態とされる又は把持されることに連動して、給紙カセットが収納された状態から引き出された状態になるのが阻止されるので、給紙カセットが装置本体に収納された装置においても、移動中の給紙カセットの飛び出しを防止できる。また、取っ手を引き出すあるいは把持するという、装置の移動時に作業者が必ず行う操作によって給紙カセットの固定ができるので、作業者への負担増加を伴うことなく給紙カセットの飛び出しを確実に防止できる。
【００１１】
取っ手が装置本体に出入可能に取り付けられたものである場合に、阻止機構として、取っ手に連結され、取っ手の出入によって移動する、突起が形成された第１連動部材と、給紙カセットが収納された状態のときに、給紙カセットの、前記突起が係合可能な位置に形成された凹部とを備えたものとすると、簡単な構成で前記目的を達成できる。
【００１２】
また取っ手が装置本体に形成された差入部である場合に、阻止手段として、差入部内に進出位置し、差入部の把持によって退出する進退部材と、この進退部材の進退によって移動する、突起が形成された第２連動部材と、給紙カセットの、前記突起が係合可能な位置に形成された凹部とを備えたものとすると、前記と同様に簡単な構成で前記目的を達成できる。
【００１３】
給紙カセットが収納された状態となる方向の力が突起に加わると、突起が給紙カセットの移動領域から待避するように取り付けると、給紙カセットが引き出された状態のまま、取っ手を把持可能状態とした場合あるいは取っ手を把持した場合であっても、給紙カセットを装置本体に収納することができるようになる。
【発明を実施するための最良の形態】
【００１４】
本発明者等は、装置本体に給紙カセットが収納された装置において、装置の移動時に給紙カセットが飛び出さないようにすべく鋭意検討を重ねた結果、装置の移動時に必ず用いられる取っ手の動きに連動させて、給紙カセットの飛び出しを防止すればよいことを見出し本発明をなすに至った。以下、本発明の画像形成装置を図に基づいて詳述する。
【００１５】
図１は、本発明に係る画像形成装置の一実施形態を示す斜視図である。図１の装置は、装置本体１の上面に原稿読み取り部１１が設けられ、正面下方には３段の給紙カセット３が手前方向に引き出し可能に収納されている。そして装置本体１の両側面には取っ手２が出し入れ可能に設けられている。装置を移動する場合には作業者はこの取っ手２を装置本体１から引き出し、そして取っ手２を握って移動させる。
【００１６】
次に、前記取っ手２の動きに連動して給紙カセット３の飛び出しを阻止する機構について説明する。図２に概略説明図を示す。取っ手２の底面には長手方向に移動用溝２１が形成され、この移動用溝２１を挟んで対向する取っ手２の前側面と後側面には、水平部２２ａと傾斜部２２ｂとからなる長孔２２がそれぞれ形成されている。一方、棒状の第１連動部材４には給紙カセット３の数と位置に対応して突起４１が形成されている。また取っ手２の移動用溝２１に挿入可能な厚さの板状部４２がその上端面から延出し、板状部４２の上部には孔（不図示）が形成されている。取っ手２と第１連動部材４とは、取っ手２の移動用溝２１に第１連動部材４の板状部４２を挿入し、板状部４２に形成された孔（不図示）と取っ手２の長孔２２とを同一平面上に位置させて、孔と長孔２２とにピンＰを貫入することによって連結される。したがって、取っ手２が水平方向に移動することによって、第１連動部材４を連結しているピンＰが長孔２２に沿って相対的に移動する。この結果、長孔２２の傾斜部２２ｂをピンＰが相対的に移動するときに第１連動部材４は垂直方向に移動する。
【００１７】
次に、第１連動部材４に形成された突起４１と給紙カセット３に形成された凹部３２との係合による、給紙カセット３の飛び出し阻止機構を、図３及び図４に基づいて説明する。図３は、装置本体１（図１に図示）への給紙カセット３の取り付け状態を示す概略斜視図である。給紙カセット３の両側面には突条３１が形成されている。一方、給紙カセット３を収納する装置本体側の空間の両側面には、断面略”コ”字状のレール１２ａ，１２ｂが配設されている。このレール１２ａ，１２ｂに給紙カセット３の突条３１が挿入されることによって、給紙カセット３は装置本体１に対して出し入れ可能に取り付けられる。そして、給紙カセット３の突条３１の上面には凹部３２が形成され、また給紙カセット３が装置本体内に収納された状態のときにレール１２ａのこの凹部３２に対向する部分には切り欠き１３が形成されている。第１連動部材４の突起４１は、この切り欠き１３の上方に通常は位置し、図１に示すように取っ手２が装置本体１から引き出されると、第１連動部材４が下方に移動して突起４１は切り欠き１３を通って突条３１の凹部３２に係合する。これにより、給紙カセット３の飛び出しが阻止される。
【００１８】
図４は、第１連動部材４の突起４１と突条３１の凹３２部との係合機構を示す、装置本体の側面から見た概説図である。同図（ａ）は通常の状態、すなわち取っ手２（図１に図示）が装置本体内に収納された状態である。突起４１はレール１２ａの切り欠き１３の上方に位置しているため、突条３１はレール１２ａ内を摺動可能で、給紙カセット３は出入可能となっている。同図（ｂ）および同図（ｃ）は、装置を移動するために、取っ手２を装置本体１から引き出したときの状態である。取っ手２を装置本体１から引き出すと（図１を参照）、図２に示すように、長孔２２に沿ってピンＰが相対的に移動し、長孔２２の傾斜部２２ｂでピンＰが下方に移動することによって、第１連動部材４は下方へ移動する。これにより図４（ｂ）および同図（ｃ）に示すように、第１連動部材４に形成された突起４１が下方に移動し、レール１２ａの切り欠き１３を通って突条３１の凹部３２と係合し、給紙カセット３の飛び出しが阻止される。
【００１９】
なお、図３及び図４の装置のように、突起４１が第１連動部材４に固定されている場合には、給紙カセット３を装置本体１に収納した後に、取っ手２を装置本体１から引き出す必要があるが、実使用上の利便性を考慮して、取っ手２を装置本体１から引き出した後であっても、給紙カセット３を装置本体１に収納できるようにしてもよい。このようにするには、給紙カセット３が収納された状態となる方向の力が突起４１に加わると、給紙カセット３の移動領域すなわち突条３１の移動領域から突起４１が待避するようにすればよい。図５及び図６に、突条３１の移動領域から待避し得る突起４１の一例を示す。
【００２０】
突起４１は平面視において略台形状をなし、その長辺と傾斜辺との交わる部分には接合部４５が形成されている。この接合部４５は、基部４５ａと、基部４５ａの両端から垂直に延出した２つの側部４５ｂ、４５ｃとを有し、２の側部４５ｂ、４５ｃの対向位置に孔４６が形成されている。一方、第１連動部材４には突起４１が待避し得る待避空間４３が設けられ、待避空間４３の正面内側角部の上下面には孔（不図示）を有する突片部４４ａ，４４ｂが離隔対向して設けられている。そして、第１連動部材４の突片部間４４ａ，４４ｂに突起４１の接合部４５を挿入し、突片部４４ａ，４４ｂの孔（不図示）と接合部４５の孔４６とが同軸上となるように配置するとともに、突片部４４ａと接合部の側部４５ｂとの間に巻きバネＳを配置し、これらの孔および巻きバネＳの中空部にピンＰが貫装される。これにより突起４１は、ピンＰを中心として揺動可能に第１連動部材４に取り付けられる。
【００２１】
図６は、突起４１の動きを説明するための概略平面図である。突起４１は、巻きバネＳ（図５に図示）によって、ピンＰを中心として時計回りの方向に常に付勢されており、給紙カセット３の突条３１と接触してないときは、不図示のストッパにより図６（ａ）の状態を維持する。給紙カセット３が引き出された状態から収納された状態にされるとき、給紙カセット３の突条３１が突起４１に接触すると、同図（ｂ）に示すように、突起４１は反時計回りに揺動して突条３１の移動領域から待避する。これにより、取っ手２（図１に図示）が装置本体１から引き出された状態のときでも、給紙カセット３を装置本体１に収納することができるようになる。そして、給紙カセット３が装置本体１に収納されると、同図（ｃ）に示すように、突条３１に形成されている凹部３２が突起４１の対向部分にちょうど位置することになり、巻きバネＳの付勢力によって突起４１は時計回りに揺動して凹部３２に係合する。不図示のストッパにより突起４１はこの状態からさらに時計回りには揺動しないので、給紙カセット３に対して引き出される方向に力が加わっても、突起４１と凹部３２との係合は解消せず、給紙カセット３の飛び出しは確実に防止される。
【００２２】
図７に、本発明に係る画像形成装置の他の実施形態を示す。図７の装置では、取っ手５を回動させて装置本体１から出入する。取っ手５は略”く”字状をなし、その中央部が装置本体１に回動軸５１によって軸支されている。そして取っ手５の装置本体側の端部には第１連動部材４が連結軸５２で回動可能に連結されている。画像形成装置が固定され、使用されている場合には、図７（ａ）に示すように、取っ手５は装置本体１に収納された状態となっており、第１連動部材４の突起４１は給紙カセット３の凹部３２と係合していない。したがって、この状態では給紙カセット３は装置本体１から出し入れ可能である。次に、装置を移動させるために取っ手５を回動させて装置本体１から出すと、同図（ｂ）に示すように、取っ手５の装置本体側の端部が下方に下がることによって第１連動部材４が下方に移動し、突起４１が給紙カセット３の凹部３２に係合する。これによって、給紙カセット３の装置本体１からの引き出しは不能となり、装置の移動中などの給紙カセット３の不意の飛び出しが防止される。またこの実施形態においても、突起４１の取り付け構造を図５に示したものとすれば、取っ手５を装置本体１から出した状態のときでも、給紙カセット３を装置本体１に収納することができるようになる。
【００２３】
次に、本発明に係る画像形成装置のさらに他の実施形態を説明する。図８は、本発明の画像形成装置の斜視図であって、図１の装置と異なり、取っ手として装置本体に形成された差入部１４を用いるものである。なお、連動部材に形成された突起と給紙カセットの凹部とが係合することによって、給紙カセットの飛び出しを防止する機構は、前記の実施形態と同じであるので、ここではその説明を省略し、作業者が差入部に手を入れて装置を把持することによって、給紙カセットの飛び出しが防止される機構を中心に以下説明する。
【００２４】
図９に、この装置における給紙カセット３の飛び出し阻止機構の概説図を示す。差入部１４の正面内壁に形成された孔１５を通って、進退部材６が差入部１４内に進出位置している。この進退部材６は水平方向に移動可能である。進退部材６の背面は傾斜面となっていて、第２連動部材７の上部の傾斜面と当接し、進退部材６と第２連動部材７とは傾斜面において相対的に摺動可能となっている。第２連動部材７は棒状で、前記実施形態の装置と同様に、給紙カセット３の数と位置に対応して突起７１が形成されている。また第２連動部材７には、長手方向に対して垂直方向に突片７２が形成されており、装置本体１に設けられた固定部１６とこの突片７２との間にコイルバネＳが介装されている。このコイルバネＳによって第２連動部材７は常に上方に付勢される。
【００２５】
このような構造の装置において、装置を移動するために差入部１４に作業者の手が差し込まれると（図９（ａ））、作業者の手によって進退部材６が差入部１４の奥方向（図の右方）に押し出される。すると、進退部材６の背面の傾斜面と第２連動部材７の上部の傾斜面とによって第２連動部材７を下方に押し下げる力が発生し、第２連動部材７は下方へ移動する。そして、第２連動部材７の突起７１が給紙カセット３の凹部３２に係合して、給紙カセット３の飛び出しが防止される（同図（ｂ））。前述のように、第２連動部材７はコイルバネＳによって常に上方に付勢されているので、装置の移動が完了し、差入部１４から作業者の手が外れると、コイルバネＳの付勢力によって第２連動部材７は上方に押し上げられる。すると今度は、傾斜面と傾斜面との間に進退部材６を差入部１４の方向に進出させる力が発生し、進退部材６は差入部１４内に進出した状態となる（同図（ａ））。
【００２６】
またこの実施形態においても、突起７１の取り付け構造を図５に示したものとすれば、差入部１４に作業者の手が差し込まれている状態のときでも、給紙カセット３を装置本体１に収納することができるようになる。
【図面の簡単な説明】
【００２７】
【図１】本発明の画像形成装置の一例を示す斜視図である。
【図２】取っ手と第１連動部材との取り付け状態を示す概説図である。
【図３】給紙カセットの装置本体への取り付け機構と、阻止機構とを示す概説図である。
【図４】給紙カセットの飛び出し阻止機構の概説図である。
【図５】待避可能に取り付けられた突起の一例を示す斜視図である。
【図６】図５の突起の動作説明図である。
【図７】取っ手の他の例を示す概説図である。
【図８】本発明の画像形成装置の他の例を示す斜視図である。
【図９】差入部の把持による給紙カセットの飛び出し阻止の機構概説図である。
【符号の説明】
【００２８】
１    装置本体
２，５    取っ手
３    給紙カセット
４    第１連動部材
６    進退部材
７    第２連動部材
Ｓ    バネ
Ｐ    ピン
１２ａ，１２ｂ    レール
１３    切り欠き
１４    差入部
１６    固定部
２１    移動用溝
２２    長孔
２２ａ  水平部
２２ｂ  傾斜部
３１    突条
３２    凹部
４１    突起
４２    板状部
４３    待避空間
４４ａ，４４ｂ    突片部
４５    連結部
５１    取付軸
５２    連結軸
７１    突片
７２    突起
【図１】
2005145627.tif 000003
【図２】
2005145627.tif 000004
【図３】
2005145627.tif 000005
【図４】
2005145627.tif 000006
【図５】
2005145627.tif 000007
【図６】
2005145627.tif 000008
【図７】
2005145627.tif 000009
【図８】
2005145627.tif 000010
【図９】
2005145627.tif 000011